(57)【要約】【課題】撮影状態において衝撃等が加わった場合でも第二レンズ群とシャッタ羽根とが衝突することなく、しかも、収納状態において小型化することのできる鏡筒駆動機構を提供する。【解決手段】繰込動作に伴って、第二レンズ枠３がバネ３４の付勢力に抗して前側に移動するとともに開放された露光開口部８１a内に配置されて収納状態とし、繰出動作に伴って、第二レンズ枠３がバネ３４の付勢力によって後側に移動するとともにシャッタユニット８と第二レンズ枠３との間隔を保持しながら撮影状態とする鏡筒駆動機構１において、シャッタユニット８に、撮影状態における第二レンズ枠３を係止することによって、該第二レンズ枠３の移動を停止させ、繰込動作に伴って第二レンズ枠３への係止を解除するストッパ部材１００を設ける。【選択図】図５
2005181676.tif 000002
【特許請求の範囲】
【請求項１】
第一レンズ群を保持する第一レンズ枠と、
前記第一レンズ群の後方に配置され、第二レンズ群を保持する第二レンズ枠と、
前記第一レンズ群と前記第二レンズ群との間で、第二レンズ枠を光軸方向に移動可能に支持し、露光開口部を有するシャッタユニットと、
前記第一レンズ枠、第二レンズ枠及びシャッタユニットを光軸方向に繰出・繰込動作させる駆動手段と、
前記シャッタユニットと前記第二レンズ枠との間に設けられて、繰込動作に伴って、前記第二レンズ枠が付勢力に抗して前側に移動するとともに前記開放された露光開口部内に配置されて収納状態とし、繰出動作に伴って、前記第二レンズ枠が付勢力によって後側に移動するとともに前記シャッタユニットと前記第二レンズ枠との間隔を保持しながら撮影状態とする第一の弾性部材とを備えた鏡筒駆動機構であって、
前記シャッタユニットには、撮影状態における第二レンズ枠を係止することによって、該第二レンズ枠の移動を停止させ、繰込動作に伴って前記第二レンズ枠への係止を解除するストッパ部材が設けられていることを特徴とする鏡筒駆動機構。
【請求項２】
前記ストッパ部材は、前記第二レンズ枠を係止する方向及び第二レンズ枠への係止を解除する方向に回転可能なストッパ本体と、
ストッパ本体に設けられて、撮影状態における第二レンズ枠を係止するストッパ部と、
ストッパ本体に設けられて、前記ストッパ部が第二レンズ枠を係止する方向に付勢する第二の弾性部材と、
ストッパ本体に設けられて、繰込動作に伴って前記第二レンズ枠の後方に設けられた突起部に当接することにより、前記第二の弾性部材の付勢力に抗して前記第二レンズ枠へのストッパ部による係止を解除する方向に、前記ストッパ本体を回転させるカム部とを備えていることを特徴とする請求項１に記載の鏡筒駆動機構。
【発明の詳細な説明】
【技術分野】
【０００１】
本発明は、鏡筒駆動機構に係り、特に光学系機器に用いられる鏡筒駆動機構に関する。
【背景技術】
【０００２】
従来より、前後二つのレンズ群を前後方向に駆動しながら変倍や焦点調節を行うために使用される鏡筒駆動機構が知られている。
このような鏡筒駆動機構において、非撮影時の光軸方向の寸法を小さくするための技術が種々提案されており、非撮影時にシャッタの開口部が開き、この開口部内にシャッタに隣接するレンズの少なくとも一部が収納される技術が知られている。
【０００３】
このような機構として、例えば図１１に示すように、鏡筒カバー２０１、カム筒２０２、固定筒２０３、第一レンズ枠２０４、第二レンズ枠２０５、第三レンズ枠２０６を備え、これら各部材２０１〜２０６は略円筒形状であり、各部材２０１〜２０６の開口の略中心を通る光軸が略一致するように重ねられている。第一レンズ枠２０４、第二レンズ枠２０５、第三レンズ枠２０６は、第一レンズ群２０７、第二レンズ群２０８、第三レンズ群２０９をそれぞれ別個に保持しており、第一レンズ枠２０４及び第二レンズ枠２０５は、カム筒２０２と固定筒２０３とによるカム構造によって光軸方向に移動可能に構成されている。
また、第一レンズ群２０７と第二レンズ群２０８との間には、露光開口部２１０aの開閉動作又は絞りを行うシャッタ羽根２１０を備えたシャッタユニット２１１が収納されている。このシャッタユニット２１１は、第二レンズ枠２０５の前方で該第二レンズ枠２０５のガイド軸２１２に沿って光軸方向に移動可能に支持されている。また、シャッタユニット２１１と第二レンズ枠２０５との間にはスプリング２１３が配置され、第二レンズ枠２０５がシャッタユニット２１１から離れる方向に付勢されている。このような構成において、非撮影時には繰込動作に伴い、第一レンズ枠２０４が繰り込まれると同時にシャッタユニット２１１を後方に押圧することにより、シャッタユニット２１１がスプリング２１３を圧縮しながら第二レンズ枠２０５に対して後側に移動するとともに、開放された露光開口部２１０a内に第二レンズ群２０８が入り込むようになっている。
また、図１１とは反対に、シャッタユニットがカム筒に係合して設けられ、シャッタユニットに対して光軸方向移動自在に第二レンズ枠が設けられている場合も開示されている（例えば、特許文献１参照）。
【特許文献１】特開２００３−６６３１１号公報
【発明の開示】
【発明が解決しようとする課題】
【０００４】
しかしながら、上述のように図１１及び特許文献１に記載の技術において、撮影状態では、第二レンズ枠２０５とシャッタユニット２１１との間隔はスプリング２１３の付勢力により保たれており、この状態では第二レンズ枠２０５とシャッタユニット２１１との間が移動可能に取り付けられている。そのため、カメラに強い衝撃が加わると第二レンズ枠２０５及び第二レンズ群２０８が容易に移動してシャッタ羽根２１０と衝突し、破損してしまう可能性があった。
本発明は、上記事情に鑑みてなされたもので、撮影状態において衝撃等が加わった場合でも第二レンズ群とシャッタ羽根とが衝突することなく、しかも、収納状態において小型化することのできる鏡筒駆動機構を提供することを課題としている。
【課題を解決するための手段】
【０００５】
上記課題を解決するため、請求項１の発明は、例えば、図１〜図３、図８、図９に示すように、
第一レンズ群２１を保持する第一レンズ枠２と、
前記第一レンズ群の後方に配置され、第二レンズ群３１を保持する第二レンズ枠３と、
前記第一レンズ群と前記第二レンズ群との間で、第二レンズ枠を光軸方向に移動可能に支持し、露光開口部８１aを有するシャッタユニット８と、
前記第一レンズ枠、第二レンズ枠及びシャッタユニットを光軸方向に繰出・繰込動作させる駆動手段（例えば、第一のコマ部２２、第二のコマ部８５、直進筒５、スリット５１、カム筒６、第一のカム溝６１、第二のカム溝６２、固定筒７）と、
前記シャッタユニットと前記第二レンズ枠との間に設けられて、繰込動作に伴って、前記第二レンズ枠が付勢力に抗して前側に移動するとともに前記開放された露光開口部内に配置されて収納状態とし、繰出動作に伴って、前記第二レンズ枠が付勢力によって後側に移動するとともに前記シャッタユニットと前記第二レンズ枠との間隔を保持しながら撮影状態とする第一の弾性部材（例えば、バネ３４）とを備えた鏡筒駆動機構１であって、
前記シャッタユニットには、撮影状態における第二レンズ枠を係止することによって、該第二レンズ枠の移動を停止させ、繰込動作に伴って前記第二レンズ枠への係止を解除するストッパ部材１００が設けられていることを特徴とする。
【０００６】
請求項１の発明によれば、シャッタユニットには、撮影状態における第二レンズ枠を係止することによって、該第二レンズ枠の移動を停止させ、繰込動作に伴って第二レンズ枠への係止を解除するストッパ部材が設けられているので、従来のように、撮影状態においてシャッタユニットと第二レンズ枠との間隔がバネの付勢力のみで規制されるのではなく、ストッパ部材が第二レンズ枠を係止することでその移動が停止されて固定された状態となる。そのため、撮影状態においてカメラに衝撃が加わった場合でも、容易に第二レンズ枠が前側（シャッタユニット側）に移動してシャッタ羽根等に衝突することを防止できる。
一方、繰込動作に伴ってストッパ部材が第二レンズ枠への係止を解除するため、従来同様、第二レンズ枠が第一の弾性部材の付勢力に抗して前側に移動して露光開口部内に収納されることとなる。よって、第二レンズ枠が露光開口部内に収納された分、シャッタユニット、第二レンズ群、第二レンズ枠の全体の厚みを薄くすることができ、その結果、鏡筒駆動機構の小型化を図ることができる。さらに、この鏡筒駆動機構を備えたカメラ等の小型化も可能となる。
【０００７】
請求項２の発明は、例えば、図４、図８、図９に示すように、請求項１に記載の鏡筒駆動機構において、
前記ストッパ部材は、前記第二レンズ枠を係止する方向Ａ及び第二レンズ枠への係止を解除する方向に回転可能なストッパ本体１０１と、
ストッパ本体に設けられて、撮影状態における第二レンズ枠を係止するストッパ部１０５と、
ストッパ本体に設けられて、前記ストッパ部が第二レンズ枠を係止する方向に付勢する第二の弾性部材（例えば、バネ１０２）と、
ストッパ本体に設けられて、繰込動作に伴って前記第二レンズ枠の後方に設けられた突起部４３に当接することにより、前記第二の弾性部材の付勢力に抗して前記第二レンズ枠へのストッパ部による係止を解除する方向に、前記ストッパ本体を回転させるカム部１０４とを備えていることを特徴とする。
【０００８】
請求項２の発明によれば、撮影状態においてストッパ部が第二レンズ枠を係止することにより第二レンズ枠が移動することなく、第一の弾性部材の付勢力によりシャッタユニットとの間隔を保持した状態で停止される。そして、繰込動作に伴ってカム部が第二レンズ枠の後方の突起部に当接することにより、第二の弾性部材の付勢力に抗して第二レンズ枠へのストッパ部による係止を解除する方向にストッパ本体が回転される。これによって、上述のように第二レンズ枠が第一の弾性部材の付勢力に抗して前側に移動して露光開口部内に収納されることとなる。このように、ストッパ部材によって撮影状態及び繰込動作に伴って、容易に第二レンズ枠の位置を規制することができ、撮影状態において衝撃を受けた場合でも第二レンズ枠が移動することなく、また、収納状態においてはコンパクトに収納することができる。
また、ストッパ部材は、ストッパ本体、ストッパ部、第二の弾性部材、カム部を備え、簡単な構造とすることができ、その製造も容易でコスト低減も可能となる。
【発明の効果】
【０００９】
本発明に係る鏡筒駆動機構によれば、シャッタユニットに設けられたストッパ部材が、撮影状態における第二レンズ枠を係止することによって、第二レンズ枠の移動が停止されて固定された状態となる。そのため、カメラに衝撃が加わった場合でも、第二レンズ枠が移動してシャッタ羽根等に衝突することを防止できる。また、繰込動作に伴ってストッパ部材が第二レンズ枠への係止を解除するため、従来同様、第二レンズ枠が第一の弾性部材の付勢力に抗して前側に移動して露光開口部内に収納されることとなる。よって、鏡筒駆動機構の小型化を図ることができ、さらには、この鏡筒駆動機構を備えたカメラ等の小型化も可能となる。
【発明を実施するための最良の形態】
【００１０】
以下、本発明の実施の形態を図面に基づいて説明する。
本実施の形態では、鏡筒駆動機構を光学機器の一例として例示されるデジタルカメラに適用した場合を説明することとする。
図１は、本実施の形態に係る鏡筒駆動機構の光軸に沿った断面図であって収納状態にある場合を示し、図２は、同断面図であってワイド状態にある場合を示す説明図である。また、図３は、図１において本発明の特徴部分であるストッパ部材の位置で切断した断面図である（図３において、図１と同様の構成部分については同様の符号を付している）。
なお、以下の説明において、デジタルカメラが最も広い範囲の被写体を捉えられる状態をワイド状態（最も広い範囲で撮像可能な状態）といい、最も狭い範囲ではあるが最も高倍率で被写体を捉えられる状態をテレ状態（最も狭い範囲で撮像可能な状態）といい（図示略）、デジタルカメラの未使用時であって各部材が収納されて最もコンパクトにされた状態を収納状態というものとする。
【００１１】
まず、鏡筒駆動機構の主な構成について図１及び図２を参照して説明する。
鏡筒駆動機構１は、主に、鏡筒本体１０、第一レンズ枠２、シャッタユニット８、第二レンズ枠３、第三レンズ枠４、直進筒５、カム筒６、固定筒７から構成されている。そして、鏡筒本体１０内に、各部材２〜８が、該各部材２〜８の略中心を通る光軸が略一致するような状態で保持されている。
【００１２】
第一レンズ枠２は、後端が開口した略円筒形状に形成されており、その前端部で第一レンズ群２１を保持するものである。この第一レンズ枠２の後端部における側壁部には、該側壁部を貫通する第一のコマ部２２が設けられている。第一のコマ部２２は、第一レンズ枠２１の外周面から外方に突出する外方突出部２２aが形成されている。また、第一レンズ枠２の後端部における側壁部には、内側に突出し、該第一レンズ枠２の周方向への移動を規制する第一の回転規制部２３が設けられている。
【００１３】
第一レンズ枠２の第一レンズ群２１が設けられた前端部には、カザリ環２４とバリア機構２５とが装着されている。
バリア機構２５は、バリア駆動リング２５aと、該バリア駆動リング２５aによって開閉されるバリア羽根２５bとから構成されている。
【００１４】
第一レンズ枠２の後方に配置されたシャッタユニット８は、露光開口部８１aが形成されたシャッタ基板８１と、露光開口部８１aの開閉動作又は絞りを行うシャッタ羽根８３と、シャッタ羽根８３を駆動させる駆動源（図示略）と、シャッタ基板８１の後面に取付固定され、直進筒５及びカム筒６に係合する取付部材８２とを備えている。
シャッタ基板８１と取付部材８２とはビス８４止めして固定されている。また、この取付部材８２の側壁部には、該側壁部を貫通する第二のコマ部８５が設けられている。第二のコマ部８５は、取付部材８２の外周面から外方に突出する外方突出部８５aが形成されている。
また、シャッタ基板８１の後面と取付部材８２との間には、第二レンズ枠３が係合されて、該第二レンズ枠３を光軸方向に沿って移動可能に案内する案内部８６が設けられている。
また、第一レンズ群２１の外側で、シャッタ基板８１の前面と第一レンズ枠２との間には、それぞれバネ２６が取り付けられている。なお、このバネ２６は、バネ以外に例えばゴム等の弾性部材を使用しても良い。
さらに、駆動源は、カメラの内部に設けられた制御回路（図示略）からの指令に基づきシャッタ羽根８３を駆動させることによって、露光開口部８１aを開閉又は所定の口径に絞る。
また、このシャッタユニット８には、後述するが、撮影時における第二レンズ枠３を係止することによって該第二レンズ枠３の移動を停止させるストッパ部材１００が設けられている。なお、シャッタユニット８には、このストッパ部材１００を取り付けるための円筒状の取付部８７が設けられている（図３、図４参照）。
【００１５】
直進筒５は、第一レンズ枠２の内側に設けられ、第一レンズ枠２及びシャッタユニット８を光軸方向に沿って移動自在に保持するものである。この直進筒５の側壁には、該側壁を貫通するようにスリット５１が光軸方向に沿って形成されている。
また、直進筒５の外側面には、第一レンズ枠２に設けられた第一の回転規制部２３が係合する直進溝５２が光軸方向に沿って形成されている。この直進溝５２は、第一の回転規制部２３が周方向への移動を規制した状態で光軸方向に案内するためのものであるため、その幅は第一の回転規制部２３の外径よりも僅かに大きく設定されている。
また、直進筒５の後端部における側壁部には、外側に突出しカム筒６の後端部に係止し、直進筒５の周方向への移動を規制する第二の回転規制部５３が設けられている。
【００１６】
第二レンズ枠３は、直進筒５の内側に設けられて、シャッタユニット８の後方で第二レンズ群３１を保持するものである。この第二レンズ枠３は、第二レンズ群３１の周囲に接触して該第二レンズ群３１を保持する略円筒状の保持部３２と、該保持部３２に連続して設けられてシャッタユニット８の案内部８６に係合する係合部３３とを備えている。
係合部３３には、案内部８６の径よりも大きな径の挿通孔（図示略）が形成されており、この挿通孔に案内部８６が挿通され、係合部３３が案内部８６に沿って光軸方向に移動できるようになっている。
また、案内部８６の内側で、保持部３２とシャッタ基板８１の後面との間には、それぞれバネ（第一の弾性部材）３４が取り付けられている。なお、このバネ３４は、バネ以外に例えばゴム等の弾性部材を使用しても良い。
【００１７】
第三レンズ枠４は、直進筒５の内側に設けられて、第二レンズ群３１の後方で第三レンズ群４１を保持するものである。この第三レンズ枠４の前面には、第二レンズ枠３の繰込動作に伴って該第二レンズ枠３が当接することによりバネ３４の付勢力に抗して前側（シャッタユニット８側）に第二レンズ枠３を押圧する凸部４２が設けられている。
また、この第三レンズ枠４の外側面には、前方に突出し、後述するストッパ部材１００が繰込動作に伴って当接する突起部４３が設けられている（図３参照）。
さらに、第三レンズ枠４の外周には、第二レンズ枠３を光軸方向に移動させて第三レンズ群４１の位置調整を行うためのモータ（図示略）が連結されている。このモータが回転することにより、第三レンズ群４１と、該第三レンズ群４１の後方に配置された撮像部９との間隔が調整されて焦点が合うようになっている。
【００１８】
撮像部９は、鏡筒本体１０の内周後端部に取り付けられた受け部９１と、該受け部９１に嵌め込まれたローパスフィルタ９２と、ローパスフィルタ９２の後部に弾性体９３を介して設けられた受光素子９４と、該受光素子９４をローパスフィルタ９２とで挟持する押さえ板９５とを備えている。
【００１９】
カム筒６は、第一レンズ枠２の外側に設けられ、第一レンズ枠２及びシャッタユニット８を光軸方向に沿って移動自在に保持するものである。このカム筒６の内周面前部には、第一レンズ枠２に備えられた第一のコマ部２２の外方突出部２２aが係合する第一のカム溝６１が形成されており、カム筒６の内周面後部には、シャッタユニット８の取付部材８２に備えられた第二のコマ部８５が係合する第二のカム溝６２が形成されている。また、カメラを落下させた際の衝撃に耐えやすくするために、第一のカム溝６１は、第二のカム溝６２よりも深く形成されている。
また、カム筒６の後端部における側壁部には、ヘリコイドが設けられている。
さらに、カム筒６の外周面の後端部付近には、鏡筒駆動機構１が取り付けられるカメラの駆動ギア（図示略）と噛み合うことによって動力が伝達されるギア部（図示略）が設けられている。
【００２０】
固定筒７は、カム筒６の外側に設けられ、その内周面にはヘリコイドが設けられている。そして、このヘリコイドにカム筒６のヘリコイドが螺合することでカム筒６が固定筒７に対して回転しながら移動するようになっている。
【００２１】
鏡筒本体１０は、固定筒７の外側に設けられ、その後端開口部には撮像部９が取り付けられている。
【００２２】
次に、本発明の特徴部分であるストッパ部材１００について図３〜図９を参照して説明する。
ストッパ部材１００は、シャッタユニット８に取り付けられて、撮影時における第二レンズ枠３を係止することによって、該第二レンズ枠３の移動を停止させ固定した状態とする（図９参照）。すなわち、第二レンズ枠３を係止することによって、シャッタユニット８と第二レンズ群３１との間隔が前記バネ３４の付勢力により保持される（図２参照）。また、繰込動作に伴って第二レンズ枠３への係止を解除する（図８参照）。
【００２３】
図３〜図５に示すように、ストッパ部材１００は、第二レンズ枠３を係止する方向（矢印方向Ａ）及び第二レンズ枠３への係止を解除する方向（矢印Ａと逆方向）に軸回りに回転可能なストッパ本体１０１と、ストッパ本体１０１に設けられて撮影状態における第二レンズ枠３を係止するストッパ部１０５と、ストッパ本体１０１に設けられて、ストッパ部１０５が第二レンズ枠３を係止する方向（矢印方向Ａ）に付勢するバネ１０２（第二の弾性部材）と、ストッパ本体１０１の後端部に設けられて、繰込動作に伴って第三レンズ枠４の突起部４３に当接することによりストッパ部１０５による係止を解除する方向（矢印Ａと逆方向）に、ストッパ本体１０１を回転させるカム部１０４とを備えている。
また、ストッパ部材１００は、ストッパ本体１０１内に挿通されてシャッタユニット８の取付部８７の挿通孔８７aに挿通されることによりストッパ本体１０１をシャッタユニット８に固定する取付軸１０３と、取付部８７の挿通孔８７aに挿通された取付軸１０３の後端部に嵌め込まれるＥリング１０８とを備えている。
【００２４】
また、ストッパ本体１０１には、バネ１０２が嵌め込まれるバネ嵌め込み部１０６が設けられている。
そして、バネ嵌め込み部１０６にバネ１０２が嵌め込まれ、バネ１０２の一端部がバネ掛け部１０７に掛けられ、他端部が取付部８７に掛けられるとともに、取付軸１０３がストッパ本体１０１内に挿通され、かつ、取付部８７の挿通孔８７aに挿通されたうえで、Ｅリング１０８が取付軸１０３の後端部に嵌めこまれることによってストッパ部材１００がシャッタユニット８に取り付けられている。
【００２５】
このように構成されたストッパ部材１００は、図５、図８（図８中シャッタユニットは図示略）に示すように、収納状態では、カム部１０４が第三レンズ枠４の突起部４３に当接し、バネ１０２の付勢力に抗してストッパ本体１０１が矢印方向Ａと逆方向に回転した状態で停止されており、第二レンズ枠３へのストッパ部１０５の係止が解除されている。
この収納状態から撮影状態とする際には、シャッタユニット８が前方に直進することで、その移動と同時にシャッタユニット８に取り付けられたストッパ部材１００も前方に直進する。このとき、カム部１０４は突起部４３から外れるので、ストッパ部材１００は、バネ１０２の付勢力により矢印方向Ａに回転すると同時に、ストッパ部１０５が第二レンズ枠３を係止する。その結果、第二レンズ枠３の移動が停止され固定された状態となる（図９参照）。
さらに、この撮影状態から再び収納状態とする際には、はじめにシャッタ羽根８３、絞りを開いておき、シャッタユニット８の繰込動作に伴って第二レンズ枠３も後方に移動し、その後まずカム部１０４が突起部４３に当接する。これによりカム部１０４がバネ１０２の付勢力に抗してストッパ本体１０１を矢印方向Ａと逆方向に回転させ、ストッパ部１０５による第二レンズ枠３への係止が解除される（図８参照）。係止解除後、第二レンズ枠３が停止しシャッタユニット８の開かれた露光開口部８１a内に収納される。
【００２６】
次に、鏡筒駆動機構１の動作について説明する。
図１に示すように、収納状態にある鏡筒駆動機構１に、図示しないモータからの駆動力がカム筒６のギア部に伝達されるとカム筒６が回転する。このカム筒６の回転に伴い、第一レンズ枠２に備えられた第一のコマ部２２の外方突出部２２aが第一のカム溝６１に沿って前方に直進する。同時に、シャッタユニット８の第二のコマ部８５も第二のカム溝６２に沿って前方に直進する。このとき、第一の回転規制部２３は、直進筒５の直進溝５２によって周方向の移動が規制され、第二の回転規制部５３がカム筒６の後端部に係止されることによって周方向の移動が規制され、第二のコマ部８５は、直進筒５のスリット５１によって周方向の移動が規制されているので、ともに、カム筒６に同調して回転することなく光軸方向に移動する。
【００２７】
一方、収納状態において、図８に示すようにストッパ部材１００による係止が解除され、図１に示すように第三レンズ枠４の凸部４２にバネ３４の付勢力に抗して前側（シャッタユニット８側）に押圧されていた第二レンズ枠３は、シャッタユニット８が前方に直進することによってバネ３４の付勢力により、案内部８６に沿って後側に移動していく。
このとき、図８に示す状態からシャッタユニット８の前方への移動と同時にストッパ部材１００も前方へ移動するので、突起部４３からカム部１０４が外れて、図９に示すように、再びバネ１０２の付勢力によりストッパ本体１０１が矢印方向Ａに回転し、案内部８６に沿って後側に移動した第二レンズ枠３にストッパ部１０５が係止する。その結果、第二レンズ枠３は案内部８６の後端部で停止し固定された状態となる。
【００２８】
その後、カム筒６が所定距離だけ回転すると、第一レンズ群２１が繰り出されて図２に示すワイド状態となる。第一レンズ枠２１はワイド状態で、一番繰り出された状態となり、さらにカム筒６を回転させると、テレ状態になるまで繰り込まれていく（図示略）。このとき、シャッタユニット８は第二のコマ部８５と係合する第二のカム溝６２の案内によって逆に前方に繰り出され、群間隔を変えて変倍を行う。
また、第一レンズ群２１及び第二レンズ群３１の位置に応じて、モータが第三レンズ枠４の位置調整をして第三レンズ群４１を移動させることにより、焦点が撮像部９に合うことになる。
【００２９】
テレ状態からワイド状態に戻り、さらに各レンズ群２１、３１、４１が収納される動作においては、はじめにシャッタ羽根８３、絞りを開き、カム筒６は繰り出し時とは逆方向に回転する。この回転により、ワイド状態の第一レンズ枠２は第一のカム溝６１の案内で繰り込まれて、シャッタユニット８は第二のカム溝６２の案内で繰り込まれて、第一レンズ枠２とシャッタユニット８とが収納状態まで繰り込まれる。
【００３０】
このとき、第一レンズ枠２及びシャッタユニット８の繰込動作が開始すると、はじめにシャッタ羽根８３、絞りを開いておき、まず、図８に示すようにストッパ部材１００のカム部１０４が突起部４３に当接する。これにより、カム部１０４がバネ１０２の付勢力に抗して矢印方向Ａと逆方向にストッパ本体１０１を回転させ、ストッパ部１０５での第二レンズ枠３の係止が解除される。
同時に、図１に示すように、第二レンズ枠３の後面が第三レンズ枠４の凸部４２に当接することにより、該凸部４２が第二レンズ枠３を前側に押圧することによって、バネ３４の付勢力に抗して、第二レンズ枠３は案内部８６に沿って前側に移動し、シャッタ羽根８３が開放された露光開口部８１a内に第二レンズ群３１の一部が配置され収納されることになる。もちろん、第二レンズ枠３の露出開口部８１aへの収納量は第二レンズ枠３の保持部３２によりストローク制御され、第一レンズ群２１への衝突が回避される。
なお、シャッタ羽根８３は、駆動源により露光開口部８１aを開放した状態に保持している。その後、所定の位置においてバリア羽根２５bが閉鎖される。
【００３１】
以上、本発明の実施の形態の鏡筒駆動機構１によれば、シャッタユニット８に設けられたストッパ部材１００のストッパ部１０５が、撮影状態における第二レンズ枠３を係止することによって、第二レンズ枠３が移動することなく、シャッタユニット８との間隔をバネ３４の付勢力により保持した状態で停止される。そのため、カメラに衝撃が加わった場合でも、第二レンズ枠３が移動してシャッタ羽根８３等に衝突することを防止できる。また、繰込動作に伴ってカム部１０４が突起部４３に当接することにより、バネ１０２の付勢力に抗して第二レンズ枠３へのストッパ部１０５による係止を解除する方向にストッパ本体１０１が回転される。これによって、第二レンズ枠３がバネ３４の付勢力に抗して前側に移動して露光開口部８１a内に収納されることとなる。よって、鏡筒駆動機構１の小型化を図ることができ、さらには、この鏡筒駆動機構を備えたカメラ等の小型化も可能となる。
また、ストッパ部材１００は、ストッパ本体１０１、ストッパ部１０５、バネ１０２、カム部１０４を備えているため、簡単な構造とすることができ、その製造も容易でコスト低減も可能となる。
【００３２】
なお、本発明は、上記実施の形態に限定されるものではなく、その要旨を逸脱しない範囲で適宜変更可能である。
例えば、シャッタユニット８と第二レンズ枠３とは、シャッタ基板８１に設けられた案内部８６に第二レンズ枠３１の係合部３３が係合し、第二レンズ枠３がシャッタユニット８に対して移動可能に設けられる構成としたが、これに限らず、第二レンズ枠３をシャッタユニット８に対して光軸方向に移動可能な構成であれば適宜変更可能である。
【００３３】
また、上記実施の形態において、シャッタ基板８１と第二レンズ枠２との間に設けられたバネ３４は、例えば、図１０に示すように、案内部８６に沿ってバネ３４aを設けることで代用しても構わない。なお、図１０中、図１と同様であるので同様の構成部分については同様の符号を付している。
【００３４】
また、上記実施の形態において、固定筒７とカム筒６とはヘリコイド構造によって駆動し、カム筒６と第一レンズ枠２及び直進筒５はカム構造によって駆動するとしたが、これに限定されるものではなく、固定筒７とカム筒６とがカム構造によって駆動し、カム筒６と第一レンズ枠２及び直進筒５がヘリコイド構造によって駆動するとしても構わない。
【００３５】
さらに、上記実施の形態では、第一レンズ群２１、第二レンズ群３１、第三レンズ群４１の３つのレンズ群を備えていたが、２つのレンズ群からなる構成であっても良いし、４つ以上のレンズ群を備えた構成であっても構わない。
【図面の簡単な説明】
【００３６】
【図１】本発明の実施の形態を示すためのものであって、鏡筒駆動機構の収納状態における光軸に沿った断面図である。
【図２】同、鏡筒駆動機構のワイド状態における光軸に沿った断面図である。
【図３】同、鏡筒駆動機構の収納状態における光軸に沿った断面図であり、ストッパ部材の位置で切断した断面図である。
【図４】同、シャッタユニットとストッパ部材との取り付け状態を示す分解斜視図である。
【図５】同、鏡筒駆動機構の収納状態における正面図である。
【図６】同、シャッタユニットとストッパ部材との取り付け状態を示す表側斜視図である。
【図７】同、シャッタユニットとストッパ部材との取り付け状態を示す裏側斜視図である。
【図８】同、第三レンズ枠とストッパ部材との収納状態における斜視図である。
【図９】同、第三レンズ枠とストッパ部材との撮影状態における斜視図である。
【図１０】変形例を示すためのものであって、鏡筒駆動機構の収納状態における光軸に沿った断面図である。
【図１１】従来例を示すためのものであって、鏡筒駆動機構の収納状態における光軸に沿った断面図である。
【符号の説明】
【００３７】
１  鏡筒駆動機構
２  第一レンズ枠
３  第二レンズ枠
５  直進筒（駆動手段）
６  カム筒（駆動手段）
７  固定筒（駆動手段）
８  シャッタユニット
２１  第一レンズ群
２２  第一のコマ部（駆動手段）
３１  第二レンズ群
３４  バネ（第一の弾性部材）
４３  突起部
５１  スリット（駆動手段）
６１  第一のカム溝（駆動手段）
６２  第二のカム溝（駆動手段）
８１a  露光開口部
８５  第二のコマ部（駆動手段）
１００  ストッパ部材
１０１  ストッパ本体
１０２  バネ（第二の弾性部材）
１０４  カム部
１０５  ストッパ部
【図１】
2005181676.tif 000003
【図２】
2005181676.tif 000004
【図３】
2005181676.tif 000005
【図４】
2005181676.tif 000006
【図５】
2005181676.tif 000007
【図６】
2005181676.tif 000008
【図７】
2005181676.tif 000009
【図８】
2005181676.tif 000010
【図９】
2005181676.tif 000011
【図１０】
2005181676.tif 000012
【図１１】
2005181676.tif 000013